(57)【要約】【課題】効果的なＱｏＳおよび輻輳制御を実現する無線通信システムおよび無線通信方法を得る。【解決手段】複数のアクセスポイント（ＡＰ）を含んで構成される無線ＬＡＮを有するネットワークと、自身とＡＰのアドレスとの登録を通信制御部に要求する手段と、自身のアドレスを含めて接続要求を通信制御部に対して行う手段とを備え、無線ＬＡＮを介して無線通信を行う無線通信端末部と、無線通信端末部とＡＰのアドレスとを記憶する手段と、記憶手段を参照して無線通信端末部のアドレスからＡＰを特定する手段と、ＡＰのリソースを管理する手段と、ＡＰの空リソース状況に応じて無線通信端末部からの接続要求の受け入れの可否を判断する手段と、を有する通信制御部と、を備える。【選択図】        図２
2005354423.tif 000002
【特許請求の範囲】
【請求項１】
無線通信端末部における無線ＬＡＮを介した無線通信を通信制御部により制御する無線通信システムであって、
複数のアクセスポイントを含んで構成される無線ＬＡＮを有するネットワークと、
無線通信を行う前に自身のアドレスと前記アクセスポイントのアドレスとの登録を前記通信制御部に要求する登録要求手段と、無線通信を行うに際して自身のアドレスを含めて接続要求を前記通信制御部に対して行う接続要求手段と、を備え、前記無線ＬＡＮを介して無線通信を行う複数の無線通信端末部と、
前記無線通信端末部のアドレスと前記アクセスポイントのアドレスとの対応情報を記憶する記憶手段と、前記記憶手段を参照して前記無線通信端末部のアドレスからアクセスポイントを特定する特定手段と、前記アクセスポイントのリソースを管理するリソース管理手段と、前記リソース管理手段を参照して前記特定したアクセスポイントの空リソース状況に応じて前記無線通信端末部からの接続要求の受け入れの可否を判断する判断手段と、を有する通信制御部と、
を備えて構築されることを特徴とする無線通信システム。
【請求項２】
前記無線通信端末部がＶｏＩＰ端末であり、前記通信制御部がＳＩＰサーバであることを特徴とする請求項１に記載の無線通信システム。
【請求項３】
前記アクセスポイントのアドレスが、該アクセスポイントのＭＡＣアドレスであることを特徴とする請求項２に記載の無線通信システム。
【請求項４】
前記アクセスポイントのアドレスが、該アクセスポイントのＩＰアドレスであることを特徴とする請求項２に記載の無線通信システム。
【請求項５】
前記無線通信端末部が前記無線通信端末部のアドレスと前記アクセスポイントのアドレスとの登録を前記通信制御部に要求する際に前記アクセスポイントのアドレスをフラグ設定したアドレスリストを前記通信制御部に送信し、前記接続要求を行う際に前記アクセスポイントのアドレスを前記アドレスリストに設定せずに送信することを特徴とする請求項２に記載の無線通信システム。
【請求項６】
前記アクセスポイントが、前記ＳＩＰサーバのアドレスを前記無線通信端末部に通知することを特徴とする請求項２に記載の無線通信システム。
【請求項７】
前記判断手段は、前記接続要求の受け入れの可否を判断した後に、前記接続要求を受け入れる場合には前記特定したアクセスポイントに対して前記接続要求ごとの識別情報を通知し、前記接続要求を受け入れられない場合には前記無線通信端末部に対して接続要求を受け入れられない旨の応答を行うこと
を特徴とする請求項１に記載の無線通信システム。
【請求項８】
無線通信端末部における無線ＬＡＮを介した無線通信を通信制御部により制御する無線通信システムであって、
複数のアクセスポイントを含んで構成される無線ＬＡＮを有するネットワークと、
無線通信を行う前に自身のアドレスと前記アクセスポイントのアドレスとの登録を前記通信制御部に要求する登録要求手段を備え、前記アクセスポイントと前記無線通信端末部との通信を中継する中継部と、
無線通信を行うに際して前記中継部のアドレスを含めて接続要求を前記通信制御部に対して行う接続要求手段を備え、前記無線ＬＡＮを介して無線通信を行う複数の無線通信端末部と、
前記中継部のアドレスと前記アクセスポイントのアドレスとの対応情報を記憶する記憶手段と、前記記憶手段を参照して前記中継部のアドレスからアクセスポイントを特定する特定手段と、前記アクセスポイントのリソースを管理するリソース管理手段と、前記リソース管理手段を参照して前記特定したアクセスポイントの空リソース状況に応じて前記無線通信端末部からの接続要求の受け入れの可否を判断する判断手段と、を有する通信制御部と、
を備えて構築されることを特徴とする無線通信システム。
【請求項９】
前記無線通信端末部がＶｏＩＰ端末であり、前記通信制御部がＳＩＰサーバであることを特徴とする請求項８に記載の無線通信システム。
【請求項１０】
前記判断手段は、前記接続要求の受け入れの可否を判断した後に、前記接続要求を受け入れる場合には前記特定したアクセスポイントに対して前記接続要求ごとの識別情報を通知し、前記接続要求を受け入れられない場合には前記無線通信端末部に対して接続要求を受け入れられない旨の応答を行うこと
を特徴とする請求項８に記載の無線通信システム。
【請求項１１】
無線通信端末による、複数のアクセスポイントを含んで構成される無線ＬＡＮを介した無線通信を制御する通信制御装置であって、
前記無線通信端末のアドレスと前記アクセスポイントのアドレスとの対応情報を記憶する記憶手段と、
前記記憶手段を参照して前記無線通信端末のアドレスからアクセスポイントを特定する特定手段と、
前記アクセスポイントのリソースを管理するリソース管理手段と、
前記リソース管理手段を参照して前記特定したアクセスポイントの空リソース状況に応じて前記無線通信端末からの接続要求の受け入れの可否を判断する判断手段と、
を備えることを特徴とする通信制御装置。
【請求項１２】
無線通信端末による、複数のアクセスポイントを含んで構成される無線ＬＡＮ、および前記無線通信端末と前記アクセスポイントとの通信を中継する中継装置を介した無線通信を制御する通信制御装置であって、
前記中継装置のアドレスと前記アクセスポイントのアドレスとの対応情報を記憶する記憶手段と、
前記記憶手段を参照して前記中継装置のアドレスからアクセスポイントを特定する特定手段と、
前記アクセスポイントのリソースを管理するリソース管理手段と、
前記リソース管理手段を参照して前記特定したアクセスポイントの空リソース状況に応じて前記無線通信端末からの接続要求の受け入れの可否を判断する判断手段と、
を備えることを特徴とする通信制御装置。
【請求項１３】
複数のアクセスポイントを含んで構成される無線ＬＡＮと、
前記無線ＬＡＮを介して無線通信を行う複数の無線通信端末部と、
前記無線通信端末部のアドレスと前記アクセスポイントのアドレスとの対応情報を記憶する記憶手段と、前記記憶手段を参照して前記無線通信端末部のアドレスからアクセスポイントを特定する特定手段と、前記アクセスポイントのリソースを管理するリソース管理手段と、前記無線通信端末部からの接続要求の受け入れの可否を判断する判断手段と、を有する通信制御部と、
を備えて構築されるネットワークにおける無線通信方法であって、
前記無線通信端末部が、無線通信を行う前に該無線通信端末部のアドレスと前記アクセスポイントのアドレスとの登録を前記制御手段に要求する工程と、
前記通信制御部が、前記記憶手段において前記無線通信端末部からの要求に従って前記無線通信端末部のアドレスと前記アクセスポイントのアドレスとの対応情報を記憶する工程と、
前記無線通信端末部が、無線通信を行うに際して該無線通信端末部のアドレスを含んだ接続要求を前記制御手段に送信する工程と、
前記通信制御部が、前記特定手段において前記接続要求に含まれる前記無線通信端末部のアドレスと前記記憶手段に記憶した対応情報とからアクセスポイントを特定する工程と、
前記通信制御部が、前記判断手段において前記リソース管理手段を参照して前記特定したアクセスポイントの空リソース状況に応じて前記接続要求の受け入れの可否を判断する工程と、
を含むことを特徴とする無線通信方法。
【請求項１４】
前記無線通信端末部がＶｏＩＰ端末であり、前記通信制御部がＳＩＰサーバであることを特徴とする請求項１３に記載の無線通信方法。
【請求項１５】
前記通信制御部が、前記接続要求の受け入れの可否を判断した後に、前記接続要求を受け入れる場合には前記特定したアクセスポイントに対して前記接続要求ごとの識別情報を通知し、前記接続要求を受け入れられない場合には前記無線通信端末部に対して接続要求を受け入れられない旨の応答を行う工程をさらに含むことを特徴とする請求項１３に記載の無線通信方法。
【請求項１６】
複数のアクセスポイントを含んで構成される無線ＬＡＮと、
前記無線ＬＡＮを介して無線通信を行う複数の無線通信端末部と、
前記アクセスポイントと前記無線通信端末部との通信を中継する中継部と、
前記中継部のアドレスと前記アクセスポイントのアドレスとの対応情報を記憶する記憶手段と、前記記憶手段を参照して前記中継部のアドレスからアクセスポイントを特定する特定手段と、前記アクセスポイントのリソースを管理するリソース管理手段と、前記無線通信端末部からの接続要求の受け入れの可否を判断する判断手段と、を有する通信制御部と、
を備えて構築されるネットワークにおける無線通信方法であって、
前記中継部が、無線通信を行う前に該中継部のアドレスと前記アクセスポイントのアドレスとの登録を前記制御手段に要求する工程と、
前記通信制御部が、前記記憶手段において前記中継部からの要求に従って前記中継部のアドレスと前記アクセスポイントのアドレスとの対応情報を記憶する工程と、
前記無線通信端末部が、無線通信を行うに際して前記中継部のアドレスを含んだ接続要求を前記制御手段に送信する工程と、
前記通信制御部が、前記特定手段において前記接続要求に含まれる前記中継部のアドレスと前記記憶手段に記憶した対応情報とからアクセスポイントを特定する工程と、
前記通信制御部が、前記判断手段において、前記リソース管理手段を参照して前記特定したアクセスポイントの空リソース状況に応じて前記接続要求の受け入れの可否を判断する工程と、
を含むことを特徴とする無線通信方法。
【請求項１７】
前記無線通信端末部がＶｏＩＰ端末であり、前記通信制御部がＳＩＰサーバであることを特徴とする請求項１６に記載の無線通信方法。
【請求項１８】
前記通信制御部が、前記接続要求の受け入れの可否を判断した後に、前記接続要求を受け入れる場合には前記特定したアクセスポイントに対して前記接続要求ごとの識別情報を通知し、前記接続要求を受け入れられない場合には前記無線通信端末部に対して接続要求を受け入れられない旨の応答を行う工程をさらに含むことを特徴とする請求項１６に記載の無線通信方法。
【発明の詳細な説明】
【技術分野】
【０００１】
本発明は、無線通信システムおよび無線通信方法に関し、特に無線ＬＡＮネットワークにおけるＱｏＳ制御を可能とする無線通信システム、無線通信方法、通信制御装置に関するものである。
【背景技術】
【０００２】
従来、無線ＬＡＮ技術の発達により、ホットスポットサービスなどに代表される無線ＬＡＮシステムを用いたコンテンツ配信サービスが確立され、普及してきている。このような無線ＬＡＮシステムにかかるコンテンツのダウンロード方式としては、たとえば無線アクセスネットワーク（以下、無線ＮＷと称する。）と有線ＩＰネットワーク（以下、有線ＮＷと称する。）の帯域情報を基にコンテンツの配信レートを動的に変更させるとともに、無線ＮＷおよび有線ＮＷの帯域保証技術を連動させることにより無線端末とコンテンツ配信サーバ間でより安定したデータ配信を可能とする技術が提案されている（たとえば、非特許文献１参照）。
【０００３】
ここで、この技術の動作について説明する。無線端末がコンテンツを選択時に、無線ＬＡＮアクセスポイント（以下、ＡＰと称する。）の無線帯域の使用状況を管理する帯域管理サーバが、通信開始前に帯域情報を無線端末に通知する。そして、この帯域情報に基づいて無線端末がＡＰに無線帯域を要求した後に実際のコンテンツのダウンロードを開始する。
【０００４】
【非特許文献１】「無線ＬＡＮシステムを用いたＥｎｄ−Ｅｎｄ帯域保証実現に向けた一検討」（吉岡弘貴、吉岡正文、名倉正光、久保田周治、Ｂ−５−２３１、電子情報通信学会ソサイエティ大会）
【発明の開示】
【発明が解決しようとする課題】
【０００５】
しかしながら、上述したような従来の無線ＬＡＮシステムを用いた通信方式では、コンテンツサーバからのデータダウンロードを対象としており、シグナリングによる呼設定要求を行ってから通信を開始するＶｏＩＰ（Ｖｏｉｃｅ  ｏｖｅｒ  Ｉｎｔｅｒｎｅｔ  ＰｒｏｔｏｃｏｌＩＰ）は対象としていない。
【０００６】
また、ＶｏＩＰでは、セッションの識別子（ＵＤＰポート番号）はエンド端末間でのシグナリングによるネゴシエーションにより動的に決定されるため、ＡＰにおけるＶｏＩＰセッションの優先制御、あるいはフィルタリングを行うために、その識別子をＡＰに通知する必要があるが、従来の無線ＬＡＮシステムを用いた通信方式ではＶｏＩＰを対象としていないため、これに対応することができない。
【０００７】
また、無線区間の帯域設定を無線端末から要求しているため、無線端末の処理負荷が大きくなるという問題がある。本来、無線端末の処理負荷を軽減するためには、無線端末に追加機能を要求することなく、無線区間の割当ができることが好ましいが従来の技術においてはこのような要求には対応していない。
【０００８】
この発明は上記のような問題点を解決するためになされたもので、セッションを識別可能とし、セッションごと帯域管理することで効果的なＱｏＳおよび輻輳制御を実現する無線通信システム、無線通信方法および通信制御装置を得ることを目的とする。
【課題を解決するための手段】
【０００９】
上述した課題を解決し、目的を達成するために、本発明にかかる無線通信システムは、無線通信端末部における無線ＬＡＮを介した無線通信を通信制御部により制御する無線通信システムであって、複数のアクセスポイントを含んで構成される無線ＬＡＮを有するネットワークと、無線通信を行う前に自身のアドレスとアクセスポイントのアドレスとの登録を通信制御部に要求する登録要求手段と、無線通信を行うに際して自身のアドレスを含めて接続要求を通信制御部に対して行う接続要求手段と、を備え、無線ＬＡＮを介して無線通信を行う複数の無線通信端末部と、無線通信端末部のアドレスとアクセスポイントのアドレスとの対応情報を記憶する記憶手段と、記憶手段を参照して無線通信端末部のアドレスからアクセスポイントを特定する特定手段と、アクセスポイントのリソースを管理するリソース管理手段と、リソース管理手段を参照して特定したアクセスポイントの空リソース状況に応じて無線通信端末部からの接続要求の受け入れの可否を判断する判断手段と、を有する通信制御部と、を備えて構築されることを特徴とする。
【００１０】
この発明によれば、通信制御部において、無線通信に使用するアクセスポイントのアドレスを使用して該当するアクセスポイントを特定する。そして、該特定したアクセスポイントの空リソース状況を確認し、空リソース状況に応じて新規接続要求、すなわち新規呼の受け入れの可否を判断する。
【発明の効果】
【００１１】
この発明によれば、通信制御部においてアクセスポイントのアドレスを使用して無線通信に供するアクセスポイントを特定し、該特定したアクセスポイントの空リソース状況に応じて新規接続要求、すなわち新規呼の受け入れの可否を判断する。これにより、通信中の他の呼に影響を与えることなく、新規呼の受付、拒否を行うことができ、通信品質、使用帯域などを保証したＱｏＳを実現するとともに輻輳制御を実現できるという効果を奏する。
【発明を実施するための最良の形態】
【００１２】
以下に、本発明にかかる無線通信システムおよび無線通信方法の実施の形態を、無線ＬＡＮシステムを用いた通信方式であって、シグナリングによる呼設定要求を行ってから通信を開始するＶｏＩＰに適用した場合を例に図面に基づいて詳細に説明する。なお、本発明は以下の記述に限定されるものではなく、本発明の要旨を逸脱しない範囲において適宜変更可能である。
【００１３】
実施の形態１．
図１は、本発明の実施の形態１にかかる無線通信システムの構成を説明する図である。この無線通信システムは、アクセスポイント（ＡＰ：Access Point）２０を含んで構成される無線ＬＡＮ１０と、無線ＬＡＮ１０を介して無線通信を行う複数の無線通信端末５０と、無線通信端末５０の無線通信を制御するＳＩＰ（Session Initiation Protocol）サーバ３０と、アクセスポイント２０の空リソースを管理するリソース管理サーバ４０と、を備えて構成される。
【００１４】
また、ＳＩＰサーバ３０は、無線通信端末５０のアドレスとアクセスポイント２０のアドレスとの対応情報を記憶する記憶機能と、記憶手段を参照して前記無線通信端末５０のアドレスからアクセスポイント２０を特定する特定機能と、リソース管理手段を参照して特定したアクセスポイント２０の空リソース状況に応じて無線通信端末５０からの接続要求の受け入れの可否を判断して接続要求を受け入れる場合には、特定したアクセスポイント２０に対して接続要求ごとの識別情報であるセッション識別情報を通知し、接続要求を受け入れられない場合には、無線通信端末５０部に対して接続要求を受け入れられない旨の応答を行う判断機能と、を有している。以下、このような本実施の形態にかかる無線通信システムの動作について図２を用いて説明する。図２は、本実施例にかかる無線通信システムの基本的な動作を示すシーケンス図である。
【００１５】
まず、アクセスポイント２０は、無線通信端末５０に対して周期的にビーコンフレームを送信する（ステップＳ１０１）。そして、無線通信端末５０がアクセスポイント２０と新たにアソシエーションを設定すると、無線通信端末５０はアクセスポイント２０から周期的に送信されるビーコンフレーム、または受信したフレームのＭＡＣヘッダからアクセスポイント２０のＭＡＣアドレスを取得する（ステップＳ１０２）。つぎに、無線通信端末５０は、無線通信端末５０自身のＩＰアドレスが設定されたＳＩＰ登録メッセージにアクセスポイント２０のＭＡＣアドレスを付加する（ステップＳ１０３）。
【００１６】
そして、無線通信端末５０は、登録要求として、無線通信端末５０自身のＩＰアドレスとアクセスポイント２０のＭＡＣアドレスとを設定したＳＩＰ登録メッセージをＳＩＰサーバ３０に送信する（ステップＳ１０４）。なお、無線通信端末５０は、図示しないＤＮＳサーバなどからＳＩＰサーバ３０のＩＰアドレスを取得し、該ＩＰアドレス宛にＳＩＰ登録メッセージを送信する。
【００１７】
ＳＩＰサーバ３０は、無線通信端末５０から送信されたＳＩＰ登録メッセージを受信すると、該ＳＩＰ登録メッセージに含まれるアクセスポイント２０のＭＡＣアドレスからアクセスポイント２０を特定する。そして、ＳＩＰサーバ３０は、無線通信端末５０のＩＰアドレスとアクセスポイント２０のＭＡＣアドレスとの対応表を作成して、ＳＩＰ登録メッセージに含まれる無線通信端末５０のＩＰアドレスとアクセスポイント２０のＭＡＣアドレスとを組みで記憶する（ステップＳ１０５）。
【００１８】
ここで、ＳＩＰサーバ３０は、アクセスポイント２０のリソースを管理するリソース管理サーバ４０との連携機能を有している。また、ＳＩＰサーバ３０自身がアクセスポイント２０のリソース管理機能を有している構成とすることも可能である。このように、ＳＩＰサーバ３０がアクセスポイント２０のリソースを管理するリソース管理サーバ４０との連携機能を有する、またはＳＩＰサーバ３０自身がアクセスポイント２０のリソース管理機能を有する構成とすることにより、無線通信端末５０が新規の呼設定を要求した場合には、アクセスポイント２０の空リソース状況を確認し、新規の呼設定の受け入れが可能であるか否かを判断することが可能である。本実施の形態においては、ＳＩＰサーバ３０は、アクセスポイント２０のリソースを管理するリソース管理サーバ４０との連携機能を有している場合について説明する。
【００１９】
次に、無線通信端末５０が、該無線通信端末５０のＩＰアドレスを含んだ呼設定要求をＳＩＰサーバ３０に送信する（ステップＳ１０６）。ＳＩＰサーバ３０は、無線通信端末５０からの呼設定要求を受信すると、呼設定要求に含まれる無線通信端末５０のＩＰアドレスと、先に記憶した無線通信端末５０のＩＰアドレスとアクセスポイント２０のＭＡＣアドレスとの対応表と、からアクセスポイント２０を特定する（ステップＳ１０７）。そして、ＳＩＰサーバ３０はリソース管理サーバ４０との連携機能を用いて、特定したアクセスポイント２０の帯域情報確認をリソース管理サーバ４０に対して行う（ステップＳ１０８）。すなわち、ＳＩＰサーバ３０は、リソース管理サーバ４０に対してアクセスポイント２０の空きリソース状況の確認を行う。
【００２０】
帯域情報確認を受けたリソース管理サーバ４０は、該当するアクセスポイント２０の空リソース状況を確認し、その結果を帯域情報応答としてＳＩＰサーバ３０に送信する（ステップＳ１０９）。なお、ＳＩＰサーバ３０自身がアクセスポイント２０のリソース管理機能を有している場合は、ＳＩＰサーバ３０自身でアクセスポイント２０の空リソース状況を確認し、該ＳＩＰサーバ３０において新規呼の受入れが可能か否かを判断する。
【００２１】
ＳＩＰサーバ３０は、リソース管理サーバ４０からの帯域情報応答を受信して、該帯域情報応答から該当するアクセスポイント２０において新規呼の受入れが可能であると判断した場合は、呼び出しの相手無線通信端末に呼設定要求を送信する（ステップＳ１１０）。その後、ＳＩＰサーバ３０は、相手無線通信端末から送信されてくる呼設定応答を受信する（ステップＳ１１１）。
【００２２】
そして、ＳＩＰサーバ３０は、アクセスポイント２０に対して接続要求ごとの識別情報であるセッション識別情報（ＶｏＩＰ識別情報）としてＵＤＰポート番号と、必要であれば帯域割当てのために使用帯域情報を通知し、帯域の割当てが行われる（ステップＳ１１２）。さらにＳＩＰサーバ３０が、無線通信端末５０に呼設定応答を通知することで（ステップＳ１１３）、以後、相手無線通信端末との通信が可能になる。
【００２３】
一方、ＳＩＰサーバ３０は、リソース管理サーバ４０からの帯域情報応答を受信して、該帯域情報応答から該当するアクセスポイント２０において新規呼の受入れが不可能であると判断した場合は、呼の受付を拒否するために無線通信端末５０に対して呼受付拒否応答として呼受付拒否メッセージを送信する（ステップＳ１１４）。
【００２４】
以上のように、本実施の形態においては、無線通信端末５０が相手無線通信端末との通信に先駆けて、登録要求として無線通信端末５０自身のＩＰアドレスとアクセスポイント２０のＭＡＣアドレスとを含めたＳＩＰ登録メッセージをＳＩＰサーバ３０に送信する。ＳＩＰサーバ３０は、該ＳＩＰ登録メッセージに含まれるアクセスポイント２０のＭＡＣアドレスからアクセスポイント２０を特定し、無線通信端末５０のＩＰアドレスとアクセスポイント２０のＭＡＣアドレスとの対応表を作成して、無線通信端末５０のＩＰアドレスとアクセスポイント２０のＭＡＣアドレスとの対応情報としてこれを組みで記憶する。そして、ＳＩＰサーバ３０は、無線通信端末５０から呼設定要求があった場合には、無線通信端末５０のＩＰアドレスと対応状況とから該当するアクセスポイント２０を特定し、該アクセスポイント２０に関して通信に供する空リソースの状況を事前に確認する。これにより、使用中の他の通信呼に影響を与えることなく、新規呼の受付、拒否を確実に行うことができ、通信品質、使用帯域などのＩＰサービスのサービス品質（ＩＰ−ＱｏＳ）を保証することができるとともに、輻輳制御も可能となる。
【００２５】
実施の形態２．
上述した実施の形態１では、無線通信端末５０自身のＩＰアドレスにアクセスポイント２０のＭＡＣアドレスを付加したＳＩＰ登録メッセージをＳＩＰサーバ３０に対して送信し、ＳＩＰサーバ３０が該ＳＩＰ登録メッセージに含まれるアクセスポイント２０のＭＡＣアドレスからアクセスポイント２０を特定する場合について説明した。本実施の形態においては、ビーコンフレームを使用してアクセスポイント２０のＩＰアドレスを無線通信端末５０に通知する場合について説明する。図３は、本実施の形態にかかる無線通信システムの基本的な動作を示すシーケンス図である。なお、本実施の形態にかかる無線通信システムの構成は、上述した実施の形態１と同様であるため、図１を参照することとしてここでは詳細な説明は省略する。
【００２６】
本実施の形態においても、まず、アクセスポイント２０は無線通信端末５０に対して周期的にビーコンフレームを送信する（ステップＳ２０１）。このとき、アクセスポイント２０は自身のＩＰアドレスをビーコンフレーム中に設定して、無線通信端末５０に通知する。
【００２７】
そして、無線通信端末５０がアクセスポイント２０と新たにアソシエーションを設定すると、無線通信端末５０は、アクセスポイント２０から周期的に送信されるビーコンフレームからアクセスポイント２０のＩＰアドレスを抽出する（ステップＳ２０２）。つぎに、無線通信端末５０は、無線通信端末５０自身のＩＰアドレスが設定されたＳＩＰ登録メッセージにアクセスポイント２０のＩＰアドレスを付加する（ステップＳ２０３）。
【００２８】
そして、無線通信端末５０は、登録要求として無線通信端末５０自身のＩＰアドレスとアクセスポイント２０のＩＰアドレスとを含めたＳＩＰ登録メッセージをＳＩＰサーバ３０に送信する（ステップＳ２０４）。なお、無線通信端末５０は、図示しないＤＮＳサーバなどからＳＩＰサーバ３０のＩＰアドレスを取得し、該ＩＰアドレス宛にＳＩＰ登録メッセージを送信する。
【００２９】
ＳＩＰサーバ３０は、無線通信端末５０から送信されたＳＩＰ登録メッセージを受信し、該ＳＩＰ登録メッセージに含まれるアクセスポイント２０のＩＰアドレスからアクセスポイント２０を特定する。そして、ＳＩＰサーバ３０は、無線通信端末５０のＩＰアドレスとアクセスポイント２０のＩＰアドレスとの対応表を作成して、ＳＩＰ登録メッセージに含まれる無線通信端末５０のＩＰアドレスとアクセスポイント２０のＩＰアドレスとを組みで記憶する（ステップＳ２０５）。
【００３０】
ここで、ＳＩＰサーバ３０は、上述した実施の形態１の場合と同様にアクセスポイント２０のリソースを管理するリソース管理サーバ４０との連携機能を有している。なお、ＳＩＰサーバ３０自身がアクセスポイント２０のリソース管理機能を有している構成としても良い。このように、ＳＩＰサーバ３０がアクセスポイント２０のリソースを管理するリソース管理サーバ４０との連携機能を有する、またはＳＩＰサーバ３０自身がアクセスポイント２０のリソース管理機能を有する構成とすることにより、無線通信端末５０が新規の呼設定を要求した場合には、アクセスポイント２０の空リソースを確認し、新規の呼設定の受け入れが可能であるか否かを判断することが可能である。
【００３１】
次に、無線通信端末５０が呼設定要求をＳＩＰサーバ３０に送信する（ステップＳ２０６）。ＳＩＰサーバ３０は、無線通信端末５０からの呼設定要求を受信すると、呼設定要求に含まれる無線通信端末５０のＩＰアドレスと、先に記憶した無線通信端末５０のＩＰアドレスとアクセスポイント２０のＩＰアドレスとの対応表と、からアクセスポイント２０を特定する（ステップＳ２０７）。そして、ＳＩＰサーバ３０は、リソース管理サーバ４０との連携機能を用いてリソース管理サーバ４０に対して該アクセスポイント２０の帯域情報確認を行う（ステップＳ２０８）。すなわち、ＳＩＰサーバ３０は、リソース管理サーバ４０に対してアクセスポイント２０の空きリソース状況の確認を行う。
【００３２】
帯域情報確認を受けたリソース管理サーバ４０は、該当するアクセスポイント２０の空リソースを確認し、その結果を帯域情報応答としてＳＩＰサーバ３０に送信する（ステップＳ２０９）。なお、ＳＩＰサーバ３０自身がアクセスポイント２０のリソース管理機能を有している場合は、ＳＩＰサーバ３０自身で該アクセスポイント２０の空リソースを確認し、該アクセスポイント２０において新規呼の受入れが可能か否かを判断する。
【００３３】
ＳＩＰサーバ３０は、リソース管理サーバ４０からの帯域情報応答を受信して、該帯域情報応答から該当するアクセスポイント２０において新規呼の受入れが可能であると判断した場合は、呼び出しの相手無線通信端末に呼設定要求を送信する（ステップＳ２１０）。その後、ＳＩＰサーバ３０は、相手無線通信端末から送信されてくる呼設定応答を受信する（ステップＳ２１１）。
【００３４】
そして、ＳＩＰサーバ３０は、アクセスポイント２０に対して接続要求ごとの識別情報であるセッション識別情報（ＶｏＩＰ識別情報）としてＵＤＰポート番号と、必要であれば帯域割当てのために使用帯域情報を通知し、帯域の確保が行われる（ステップＳ２１２）。さらにＳＩＰサーバ３０が、無線通信端末５０に呼設定応答を通知することで（ステップＳ２１３）、以後、相手無線通信端末との通信が可能になる。
【００３５】
一方、ＳＩＰサーバ３０は、リソース管理サーバ４０からの帯域情報応答を受信して、該帯域情報応答から該当するアクセスポイント２０において新規呼の受入れが不可能であると判断した場合は、呼の受付を拒否するために、無線通信端末５０に対して呼受付拒否応答として呼受付拒否メッセージを送信する（ステップＳ２１４）。
【００３６】
以上のように、本実施の形態においては、無線通信端末５０が相手無線通信端末との通信に先駆けて、登録要求として無線通信端末５０自身のＩＰアドレスとアクセスポイント２０のＩＰアドレスとを含めたＳＩＰ登録メッセージをＳＩＰサーバ３０に送信する。ＳＩＰサーバ３０は、該ＳＩＰ登録メッセージに含まれるアクセスポイント２０のＩＰアドレスからアクセスポイント２０を特定し、無線通信端末５０のＩＰアドレスとアクセスポイント２０のＩＰアドレスの対応表を作成して、無線通信端末５０のＩＰアドレスとアクセスポイント２０のＩＰアドレスとの対応情報としてこれを組みで記憶する。そして、ＳＩＰサーバ３０は、無線通信端末５０から呼設定要求があった場合には、記憶したアクセスポイント２０のＩＰアドレスから該当するアクセスポイント２０を特定し、該アクセスポイント２０に関して通信に供する空リソース状況を事前に確認する。これにより、使用中の他の通信呼に影響を与えることなく、新規呼の受付、拒否を確実に行うことができ、通信品質、使用帯域などのＩＰサービスのサービス品質（ＩＰ−ＱｏＳ）を保証することができるとともに、輻輳制御も可能となる。
【００３７】
実施の形態３．
上述した実施の形態１及び実施の形態２は、アクセスポイント２０のＭＡＣアドレスまたはアクセスポイント２０のＩＰアドレスにより無線通信端末５０を収容するアクセスポイント２０の特定を行い、また、該アクセスポイント２０の空リソースの確認を実行することにより、ＱｏＳ制御を行う場合について説明した。本実施の形態においては、上述した機能の他に、さらにアクセスポイント２０の特定と処理負荷を軽減する機能を備えた実施の形態について説明する。図４は、本実施の形態にかかる無線通信システムの基本的な動作を示すシーケンス図である。なお、本実施の形態にかかる無線通信システムの構成は、上述した実施の形態１と同様であるため、図１を参照することとしてここでは詳細な説明は省略する。
【００３８】
本実施の形態においても、まず、アクセスポイント２０は無線通信端末５０に対して周期的にビーコンフレームを送信する（ステップＳ３０１）。このとき、上述した実施の形態２と同様に、アクセスポイント２０は自身のＩＰアドレスをビーコンフレーム中に設定して無線通信端末５０に通知する。
【００３９】
そして、無線通信端末５０がアクセスポイント２０と新たにアソシエーションを設定すると、無線通信端末５０は、アクセスポイント２０から周期的に送信されるビーコンフレームからアクセスポイント２０のＩＰアドレスを抽出する（ステップＳ３０２）。つぎに、無線通信端末５０は、無線通信端末５０自身のＩＰアドレスが設定されたＳＩＰ登録メッセージにアクセスポイント２０のＩＰアドレスを設定し（ステップＳ３０３）、登録要求としてこのＳＩＰ登録メッセージをＳＩＰサーバ３０に送信する（ステップＳ３０４）。この際、ＳＩＰメッセージの経由サーバアドレスリストにアクセスポイント２０のＩＰアドレスを設定し、さらにそのアドレスが特殊アドレスであることを示すフラグを設定する。なお、無線通信端末５０は、図示しないＤＮＳサーバなどからＳＩＰサーバ３０のＩＰアドレスを取得し、該ＩＰアドレス宛にＳＩＰ登録メッセージを送信する。
【００４０】
ＳＩＰサーバ３０は、無線通信端末５０から送信されたＳＩＰ登録メッセージを受信し、該ＳＩＰ登録メッセージの経由サーバアドレスリストに特殊アドレスであることを示すフラグが設定されたアクセスポイント２０のＩＰアドレスを探し、アクセスポイント２０を特定する。そして、ＳＩＰサーバ３０は、無線通信端末５０のＩＰアドレスとアクセスポイント２０のＩＰアドレスとの対応表を作成して、ＳＩＰ登録メッセージに含まれる無線通信端末５０のＩＰアドレスとアクセスポイント２０のＩＰアドレスとを組みで記憶する（ステップＳ３０５）。
【００４１】
また、ＳＩＰサーバ３０は、無線通信端末５０のＩＰアドレスとアクセスポイント２０のＩＰアドレスとを登録した旨の登録応答を無線通信端末５０に対して返信する（ステップＳ３０６）。この際、ＳＩＰサーバ３０は、ＳＩＰメッセージの経由サーバアドレスリストに依存することなく、無線通信端末５０のＩＰアドレス宛に直接、登録応答を送信する。
【００４２】
ここで、ＳＩＰサーバ３０は、上述した実施の形態１および実施の形態２の場合と同様にアクセスポイント２０のリソースを管理するリソース管理サーバ４０との連携機能を有している。なお、ＳＩＰサーバ３０自身がアクセスポイント２０のリソース管理機能を有している構成としても良い。このように、ＳＩＰサーバ３０がアクセスポイント２０のリソースを管理するリソース管理サーバ４０との連携機能を有する、またはＳＩＰサーバ３０自身がアクセスポイント２０のリソース管理機能を有する構成とすることにより、無線通信端末５０が新規の呼設定を要求した場合には、アクセスポイント２０の空リソースを確認し、新規の呼設定の受け入れが可能であるか否かを判断することが可能である。
【００４３】
次に、無線通信端末５０が呼設定要求をＳＩＰサーバ３０に送信する（ステップＳ３０７）。ここで、無線通信端末５０からの呼設定要求は、経由サーバアドレスリストに当該アクセスポイント２０のＩＰアドレスを設定することなくＳＩＰサーバ３０に送信する。これにより、無線通信端末５０における処理負荷の軽減を図ることができる。ＳＩＰサーバ３０は、無線通信端末５０からの呼設定要求を受信すると、呼設定要求に含まれる無線通信端末５０のＩＰアドレスと、先に記憶した無線通信端末５０のＩＰアドレスとアクセスポイント２０のＩＰアドレスとの対応表と、からアクセスポイント２０を特定する（ステップＳ３０８）。そして、ＳＩＰサーバ３０は、リソース管理サーバ４０との連携機能を用いてリソース管理サーバ４０に対して該アクセスポイント２０の帯域情報確認を行う（ステップＳ３０９）。すなわち、ＳＩＰサーバ３０は、リソース管理サーバ４０に対してアクセスポイント２０の空きリソース状況の確認を行う。
【００４４】
帯域情報確認を受けたリソース管理サーバ４０は、該当するアクセスポイント２０の空リソースを確認し、その結果を帯域情報応答としてＳＩＰサーバ３０に送信する（ステップＳ３１０）。なお、ＳＩＰサーバ３０自身がアクセスポイント２０のリソース管理機能を有している場合は、ＳＩＰサーバ３０自身で該アクセスポイント２０の空リソースを確認し、該アクセスポイント２０において新規呼の受入れが可能か否かを判断する。
【００４５】
ＳＩＰサーバ３０は、リソース管理サーバ４０からの帯域情報応答を受信して、該帯域情報応答から該当するアクセスポイント２０において新規呼の受入れが可能であると判断した場合は、呼び出しの相手無線通信端末に呼設定要求を送信する（ステップＳ３１１）。その後、ＳＩＰサーバ３０は、相手無線通信端末から送信されてくる呼設定応答を受信する（ステップＳ３１２）。
【００４６】
そして、ＳＩＰサーバ３０は、アクセスポイント２０に対して接続要求ごとの識別情報であるセッション識別情報（ＶｏＩＰ識別情報）としてＵＤＰポート番号と、必要であれば帯域割当てのために使用帯域情報を通知し、帯域の確保が行われる（ステップＳ３１３）。さらにＳＩＰサーバ３０が、無線通信端末５０に呼設定応答を通知することで（ステップＳ３１４）、以後、相手無線通信端末との通信が可能になる。
【００４７】
一方、ＳＩＰサーバ３０は、リソース管理サーバ４０からの帯域情報応答を受信して、該帯域情報応答から該当するアクセスポイント２０において新規呼の受入れが不可能であると判断した場合は、呼の受付を拒否するために、無線通信端末５０に対して呼受付拒否応答として呼受付拒否メッセージを送信する（ステップＳ３１５）。
【００４８】
以上のように、本実施の形態においては、無線通信端末５０が相手無線通信端末との通信に先駆けて、登録要求として無線通信端末５０自身のＩＰアドレスを設定したＳＩＰ登録メッセージをＳＩＰサーバ３０に送信する。この際、ＳＩＰメッセージの経由サーバアドレスリストにアクセスポイント２０のＩＰアドレスを設定し、さらにそのアドレスが特殊アドレスであることを示すフラグを設定する。そして、ＳＩＰサーバ３０は、該ＳＩＰ登録メッセージの経由サーバアドレスリストにフラグ設定されたアクセスポイント２０のＩＰアドレスからアクセスポイント２０を特定し、無線通信端末５０のＩＰアドレスとアクセスポイント２０のＩＰアドレスの対応表を作成して、ＳＩＰ登録メッセージに含まれる無線通信端末５０のＩＰアドレスとアクセスポイント２０のＩＰアドレスとの対応情報としてこれを組みで記憶する。
【００４９】
また、無線通信端末５０が呼設定要求をＳＩＰサーバ３０に送信する際、経由サーバアドレスリストにアクセスポイント２０のＩＰアドレスを設定することなくＳＩＰサーバ３０に送信する。これにより、無線通信端末５０における設定処理を削減し、無線通信端末５０における処理負荷の軽減を図ることができる。
【００５０】
そして、ＳＩＰサーバ３０は、無線通信端末５０から呼設定要求があった場合には、記憶したアクセスポイント２０のＩＰアドレスから該当するアクセスポイント２０を特定し、該アクセスポイント２０に関して通信に供する空リソース状況を事前に確認する。これにより、使用中の他の通信呼に影響を与えることなく、新規呼の受付、拒否を確実に行うことができ、通信品質、使用帯域などのＩＰサービスのサービス品質（ＩＰ−ＱｏＳ）を保証することができるとともに、輻輳制御も可能となる。
【００５１】
実施の形態４．
上述した実施の形態１〜実施の形態３においては、無線通信端末５０が図示しないＤＮＳサーバなどからＳＩＰサーバ３０のＩＰアドレスを取得する場合について説明したが、本実施の形態においては、アクセスポイント２０から送信されるビーコンフレームからＳＩＰサーバ３０のＩＰアドレスを取得する形態について説明する。図５は、本実施の形態にかかる無線通信システムの基本的な動作を示すシーケンス図である。なお、本実施の形態にかかる無線通信システムの構成は、上述した実施の形態１と同様であるため、図１を参照することとしてここでは詳細な説明は省略する。
【００５２】
まず、アクセスポイント２０は無線通信端末５０に対して周期的にビーコンフレームを送信する（ステップＳ４０１）。ここで、アクセスポイント２０は、アクセスポイント２０自身を経由して転送されるＳＩＰサーバ３０のＩＰアドレスと自身のＩＰアドレスとをビーコンフレーム中に設定して無線通信端末５０に送信する。そして、無線通信端末５０は、ビーコンフレームを受信することにより、該ビーンフレームに設定されたＳＩＰサーバ３０のＩＰアドレスを取得することができる。これにより、無線通信端末５０はＤＮＳサーバなどからＳＩＰサーバ３０のＩＰアドレスを取得するための処理を行うことなく、ビーコンフレームを受信するだけでＳＩＰサーバ３０のＩＰアドレスを取得することができる。したがって、無線通信端末５０は、ＳＩＰサーバ３０のＩＰアドレスを取得するための処理を省略することができ、無線通信端末５０における処理負荷の軽減を図ることができる。
【００５３】
そして、無線通信端末５０がアクセスポイント２０と新たにアソシエーションを設定すると、無線通信端末５０は、アクセスポイント２０から周期的に送信されるビーコンフレームからアクセスポイント２０のＩＰアドレスを抽出する（ステップＳ４０２）。つぎに、無線通信端末５０は、無線通信端末５０自身のＩＰアドレスと当該アクセスポイント２０のＭＡＣアドレスをＳＩＰ登録メッセージに付加する（ステップＳ４０３）。そして、無線通信端末５０は、登録要求として、無線通信端末５０自身のＩＰアドレスとアクセスポイント２０のＩＰアドレスとを含めたＳＩＰ登録メッセージをＳＩＰサーバ３０に送信する（ステップＳ４０４）。このとき、無線通信端末５０は、ビーコンフレームを受信することにより、取得したＳＩＰサーバ３０のＩＰアドレスを用いて該ＩＰアドレス宛にＳＩＰ登録メッセージを送信する。
【００５４】
ＳＩＰサーバ３０は、無線通信端末５０から送信されたＳＩＰ登録メッセージを受信し、該ＳＩＰ登録メッセージに含まれるアクセスポイント２０のＩＰアドレスからアクセスポイント２０を特定する。そして、ＳＩＰサーバ３０は、無線通信端末５０のＩＰアドレスとアクセスポイント２０のＩＰアドレスとの対応表を作成して、ＳＩＰ登録メッセージに含まれる無線通信端末５０のＩＰアドレスとアクセスポイント２０のＩＰアドレスとを組みで記憶する（ステップＳ４０５）。
【００５５】
ここで、ＳＩＰサーバ３０は、アクセスポイント２０のリソースを管理するリソース管理サーバ４０との連携機能を有している。また、ＳＩＰサーバ３０自身がアクセスポイント２０のリソース管理機能を有している構成とすることも可能である。このように、ＳＩＰサーバ３０がアクセスポイント２０のリソースを管理するリソース管理サーバ４０との連携機能を有する、またはＳＩＰサーバ３０自身がアクセスポイント２０のリソース管理機能を有する構成とすることにより、無線通信端末５０が新規の呼設定を要求した場合には、先に記憶した内容であるアクセスポイント２０のＭＡＣアドレスから該当するアクセスポイント２０を特定することが可能である。本実施の形態においては、ＳＩＰサーバ３０は、アクセスポイント２０のリソースを管理するリソース管理サーバ４０との連携機能を有している場合について説明する。
【００５６】
次に、無線通信端末５０が、呼設定要求をＳＩＰサーバ３０に送信する（ステップＳ４０６）。ＳＩＰサーバ３０は、無線通信端末５０からの呼設定要求を受信すると、呼設定要求に含まれる無線通信端末５０のＩＰアドレスと、先に記憶した無線通信端末５０のＩＰアドレスとアクセスポイント２０のＩＰアドレスとの対応表と、からアクセスポイント２０を特定する（ステップＳ４０７）。そして、ＳＩＰサーバ３０は、リソース管理サーバ４０との連携機能を用いてリソース管理サーバ４０に対して該アクセスポイント２０の帯域情報確認を行う（ステップＳ４０８）。すなわち、ＳＩＰサーバ３０は、リソース管理サーバ４０に対してアクセスポイント２０の空きリソース状況の確認を行う。
【００５７】
帯域情報確認を受けたリソース管理サーバ４０は、該当するアクセスポイント２０の空リソースを確認し、その結果を帯域情報応答としてＳＩＰサーバ３０に送信する（ステップＳ４０９）。なお、ＳＩＰサーバ３０自身がアクセスポイント２０のリソース管理機能を有している場合は、ＳＩＰサーバ３０自身で該アクセスポイント２０の空リソースを確認し、該アクセスポイント２０において新規呼の受入れが可能か否かを判断する。
【００５８】
ＳＩＰサーバ３０は、リソース管理サーバ４０からの帯域情報応答を受信して、該帯域情報応答から該当するアクセスポイント２０において新規呼の受入れが可能であると判断した場合は、呼び出しの相手無線通信端末に呼設定要求を送信する（ステップＳ４１０）。その後、ＳＩＰサーバ３０は、相手無線通信端末から送信されてくる呼設定応答を受信する（ステップＳ４１１）。
【００５９】
そして、ＳＩＰサーバ３０は、アクセスポイント２０に対して接続要求ごとの識別情報であるセッション識別情報（ＶｏＩＰ識別情報）としてＵＤＰポート番号と、必要であれば帯域割当てのために使用帯域情報を通知し、帯域の確保が行われる（ステップＳ４１２）。さらにＳＩＰサーバ３０が、無線通信端末５０に呼設定応答を通知することで（ステップＳ４１３）、以後、相手無線通信端末との通信が可能になる。
【００６０】
一方、ＳＩＰサーバ３０は、リソース管理サーバ４０からの帯域情報応答を受信して、該帯域情報応答から該当するアクセスポイント２０において新規呼の受入れが不可能であると判断した場合は、呼の受付を拒否するために、無線通信端末５０に対して呼受付拒否応答として呼受付拒否メッセージを送信する（ステップＳ４１４）。
【００６１】
以上のように、本実施の形態においては、無線通信端末５０が相手無線通信端末との通信に先駆けて、登録要求として無線通信端末５０自身のＩＰアドレスとアクセスポイント２０のＩＰアドレスとを含めたＳＩＰ登録メッセージをＳＩＰサーバ３０に送信する。ここで、上述した実施の形態１〜実施の形態３においては、無線通信端末５０は図示しないＤＮＳサーバなどからＳＩＰサーバ３０のＩＰアドレスを取得している。しかしながら、本実施の形態においては、アクセスポイント２０が該アクセスポイント２０自身を経由して転送されるＳＩＰサーバ３０のＩＰアドレスをビーコンフレーム中に設定して無線通信端末５０に送信する。そして、無線通信端末５０は、ビーコンフレームを受信することにより、該ビーンフレームに設定されたＳＩＰサーバ３０のＩＰアドレスを取得する。これにより、無線通信端末５０はＳＩＰサーバ３０のＩＰアドレスを取得するための処理を行うことなく、ビーコンフレームを受信するだけでＳＩＰサーバ３０のＩＰアドレスを取得することができる。したがって、本実施の形態においては、無線通信端末５０がＳＩＰサーバ３０のＩＰアドレスを取得するための処理を省略することができ、無線通信端末５０における処理負荷の軽減を図ることができる。なお、当然のことながら上述した実施の形態１〜実施の形態３の場合と同様に、使用中の他の通信呼に影響を与えることなく、新規呼の受付、拒否を確実に行うことができ、通信品質、使用帯域などのＩＰサービスのサービス品質（ＩＰ−ＱｏＳ）を保証することができるとともに、輻輳制御も可能となる。
【００６２】
実施の形態５．
上述した実施の形態１〜実施の形態４においては、無線通信端末５０が直接アクセスポイント２０と通信する場合について説明したが、本実施の形態においては無線ＬＡＮステーション（ＳＴＡ）を介して無線通信端末５０が収容される場合について説明する。
【００６３】
図６は、本実施の形態にかかる無線通信システムの構成を説明する図である。この無線通信システムは、アクセスポイント（ＡＰ：Access Point）２０を含んで構成される無線ＬＡＮ１０と、無線ＬＡＮ１０を介して無線通信を行う複数の無線通信端末５０と、無線通信端末５０の無線通信を制御するＳＩＰ（Session Initiation Protocol）サーバ３０と、アクセスポイント２０の空リソースを管理するリソース管理サーバ４０と、アクセスポイント２０と無線通信端末５０との通信を中継する無線ＬＡＮステーション（ＳＴＡ）６０と、を備えて構成される。本実施の形態において、ＳＴＡはＳＩＰプロキシサーバ機能を有し、且つ、アクセスポイント２０からのビーコンフレームに含まれる当該アクセスポイント２０のＩＰアドレスを保持するとともに無線通信端末５０が無線通信を行う前に自身のアドレスとアクセスポイント２０のアドレスとの登録をＳＩＰサーバ３０に要求する登録要求機能を備える。以下、このような本実施の形態にかかる無線通信システムの動作について図７を用いて説明する。図７は、本実施の形態にかかる無線通信システムの基本的な動作を示すシーケンス図である。
【００６４】
まず、アクセスポイント２０は無線ＬＡＮステーション６０に対して周期的にビーコンフレームを送信する（ステップＳ５０１）。このとき、アクセスポイント２０は自身のＩＰアドレスをビーコンフレーム中に設定して無線ＬＡＮステーション６０に通知する。無線ＬＡＮステーション６０は、アクセスポイント２０から周期的に送信されるビーコンフレームよりアクセスポイント２０のＩＰアドレスを抽出する（ステップＳ５０２）。
【００６５】
そして、新規にアクセスポイント２０のＩＰアドレスを取得し、無線通信端末５０から登録要求としてＳＩＰ登録メッセージが送られると（ステップＳ５０３）、無線ＬＡＮステーション６０は自身のＳＩＰプロキシサーバＩＰアドレスを設定し、また、ＳＩＰ登録メッセージの経由ＳＩＰサーバリストにアクセスポイント２０のＩＰアドレスを追加し、さらにそのアドレスが特殊アドレスであることを示すフラグを設定し（ステップＳ５０４）、登録メッセージとしてＳＩＰサーバ３０に対して送信する（ステップＳ５０５）。
【００６６】
ＳＩＰサーバ３０は、無線ＬＡＮステーション６０から送信された登録メッセージを受信し、該登録メッセージに含まれるアクセスポイント２０のＩＰアドレスと無線ＬＡＮステーション６０のＳＩＰプロキシサーバＩＰアドレスとの対応表を作成して、アクセスポイント２０のＩＰアドレスと無線ＬＡＮステーション６０のＳＩＰプロキシサーバＩＰアドレスとを組みで記憶する（ステップＳ５０６）。
【００６７】
ＳＩＰサーバ３０は、無線通信端末５０から送信されたＳＩＰ登録メッセージを受信し、該ＳＩＰ登録メッセージの経由サーバアドレスリストに特殊アドレスであることを示すフラグが設定されたアクセスポイント２０のＩＰアドレスを探し、アクセスポイント２０を特定する。そして、ＳＩＰサーバ３０は、無線ＬＡＮステーション６０のＩＰアドレスとアクセスポイント２０のＩＰアドレスとの対応表を作成し、記憶する。その後、ＳＩＰサーバ３０は、登録応答を無線ＬＡＮステーション６０宛に送信し、無線ＬＡＮステーション６０は無線通信端末５０を転送する（ステップＳ５０７、ステップＳ５０８）。
【００６８】
以後、無線通信端末５０では、ＳＩＰサーバ３０に対してＳＩＰメッセージを送信する際には、ＳＩＰメッセージの経由サーバアドレスリストに無線ＬＡＮステーション６０のＩＰアドレスを含めてＳＩＰサーバ３０に送信する。ＳＩＰサーバ３０では、ＳＩＰメッセージの経由サーバアドレスリストに含まれた無線ＬＡＮステーション６０のＩＰアドレスから当該無線通信端末５０の属するアクセスポイント２０を特定することができる。
【００６９】
ここで、ＳＩＰサーバ３０は、上述した実施の形態１の場合と同様にアクセスポイント２０のリソースを管理するリソース管理サーバ４０との連携機能を有している。なお、ＳＩＰサーバ３０自身がアクセスポイント２０のリソース管理機能を有している構成としても良い。このように、ＳＩＰサーバ３０がアクセスポイント２０のリソースを管理するリソース管理サーバ４０との連携機能を有する、またはＳＩＰサーバ３０自身がアクセスポイント２０のリソース管理機能を有する構成とすることにより、無線通信端末５０が新規の呼設定を要求した場合には、アクセスポイント２０の空リソースを確認し、新規の呼設定の受け入れが可能であるか否かを判断することが可能である。
【００７０】
次に、無線通信端末５０が呼設定要求を無線ＬＡＮステーション６０を介してＳＩＰサーバ３０に送信する（ステップＳ５０９、ステップＳ５１０）。このとき、無線通信端末５０は、上述したようにＳＩＰメッセージの経由サーバアドレスリストに無線ＬＡＮステーション６０のＳＩＰプロキシサーバＩＰアドレスを含めてＳＩＰサーバ３０に送信する。ＳＩＰサーバ３０は、無線通信端末５０からの呼設定要求を受信すると、ＳＩＰメッセージの経由サーバアドレスリストに含まれた無線ＬＡＮステーション６０のＳＩＰプロキシサーバＩＰアドレスと、先に記憶したアクセスポイント２０のＩＰアドレスとＳＴＡのＳＩＰプロキシサーバＩＰアドレスとの対応表と、からアクセスポイント２０を特定する（ステップＳ５１１）。
【００７１】
そして、ＳＩＰサーバ３０は、リソース管理サーバ４０との連携機能を用いてリソース管理サーバ４０に対して該アクセスポイント２０の帯域情報確認を行う（ステップＳ５１２）。すなわち、ＳＩＰサーバ３０は、リソース管理サーバ４０に対してアクセスポイント２０の空きリソース状況の確認を行う。
【００７２】
帯域情報確認を受けたリソース管理サーバ４０は、該当するアクセスポイント２０の空リソースを確認し、その結果を帯域情報応答としてＳＩＰサーバ３０に送信する（ステップＳ５１３）。なお、ＳＩＰサーバ３０自身がアクセスポイント２０のリソース管理機能を有している場合は、ＳＩＰサーバ３０自身で該アクセスポイント２０の空リソースを確認し、該アクセスポイント２０において新規呼の受入れが可能か否かを判断する。
【００７３】
ＳＩＰサーバ３０は、リソース管理サーバ４０からの帯域情報応答を受信して、該帯域情報応答から該当するアクセスポイント２０において新規呼の受入れが可能であると判断した場合は、呼び出しの相手無線通信端末に呼設定要求を送信する（ステップＳ５１４）。その後、ＳＩＰサーバ３０は、相手無線通信端末から送信されてくる呼設定応答を受信する（ステップＳ５１５）。
【００７４】
そして、ＳＩＰサーバ３０は、アクセスポイント２０に対して接続要求ごとの識別情報であるセッション識別情報（ＶｏＩＰ識別情報）としてＵＤＰポート番号と、必要であれば帯域割当てのために使用帯域情報とを通知し、帯域の確保が行われる（ステップＳ５１６）。さらにＳＩＰサーバ３０が、無線ＬＡＮステーション６０を介して無線通信端末５０に呼設定応答を通知することで（ステップＳ５１７、ステップＳ５１８）、以後、相手無線通信端末との通信が可能になる。
【００７５】
一方、ＳＩＰサーバ３０は、リソース管理サーバ４０からの帯域情報応答を受信して、該帯域情報応答から該当するアクセスポイント２０において新規呼の受入れが不可能であると判断した場合は、呼の受付を拒否するために、無線ＬＡＮステーション６０を介して無線通信端末５０に対して呼受付拒否応答として呼受付拒否メッセージを送信する（ステップＳ５１９、５２０）。
【００７６】
以上のように、本実施の形態においては、相手無線通信端末との通信に先駆けて、無線ＬＡＮステーション６０が登録要求として無線ＬＡＮステーション６０自身のＳＩＰプロキシサーバＩＰアドレスとアクセスポイント２０のＩＰアドレスを含む登録メッセージをＳＩＰサーバ３０に送信する。ＳＩＰサーバ３０は、該登録メッセージに含まれるアクセスポイント２０のＩＰアドレスと無線ＬＡＮステーション６０のＳＩＰプロキシサーバＩＰアドレスとの対応表を作成して、アクセスポイント２０のＩＰアドレスと無線ＬＡＮステーション６０のＳＩＰプロキシサーバＩＰアドレスとの対応情報としてこれを組みで記憶する。そして、これ以後、無線通信端末５０では、ＳＩＰメッセージの経由サーバアドレスリストに無線ＬＡＮステーション６０のＩＰアドレスを含めてＳＩＰメッセージを送信する。これにより、ＳＩＰサーバ３０では無線通信端末５０から呼設定要求があった場合には、ＳＩＰメッセージの経由サーバアドレスリストに含まれた無線ＬＡＮステーション６０のＩＰアドレスから当該無線通信端末５０の属するアクセスポイント２０を特定することができ、該アクセスポイント２０に関して通信に供する空リソース状況を事前に確認することができる。
【００７７】
したがって、無線ＬＡＮステーション６０を使用したネットワーク構成においても上述した実施の形態１〜実施の形態４の場合と同様に、使用中の他の通信呼に影響を与えることなく、新規呼の受付、拒否を確実に行うことができ、通信品質、使用帯域などのＩＰサービスのサービス品質（ＩＰ−ＱｏＳ）を保証することができる輻輳制御も可能となる。
【産業上の利用可能性】
【００７８】
以上のように、本発明にかかる無線通信システムは、無線ＬＡＮネットワークにおけるＱｏＳ制御を行う場合に有用である。
【図面の簡単な説明】
【００７９】
【図１】この発明の実施の形態１にかかる無線通信システムの構成を説明する図である。
【図２】この発明の実施の形態１において帯域管理を可能とする呼設定シーケンス図である。
【図３】この発明の実施の形態２においてＩＰアドレスを使用した場合の呼設定シーケンス図である。
【図４】この発明の実施の形態３において経由サーバアドレスリストを使用した場合の呼設定シーケンス図である。
【図５】この発明の実施の形態４においてアクセスポイントから無線通信端末にＳＩＰサーバＩＰアドレスを通知する場合の登録シーケンス図である。
【図６】この発明の実施の形態５にかかる無線通信システムの構成を説明する図である。
【図７】この発明の実施の形態５において無線ＬＡＮステーションを使用した呼設定シーケンス図である。
【符号の説明】
【００８０】
１０  無線ＬＡＮ
２０  アクセスポイント
３０  ＳＩＰサーバ
４０  リソース管理サーバ
５０  無線通信端末
６０  無線ＬＡＮステーション
【図１】
2005354423.tif 000003
【図２】
2005354423.tif 000004
【図３】
2005354423.tif 000005
【図４】
2005354423.tif 000006
【図５】
2005354423.tif 000007
【図６】
2005354423.tif 000008
【図７】
2005354423.tif 000009